(57)【要約】      （修正有）【課題】携帯ストラップを取り付ける紐取り付け孔を有さない携帯品と携帯品のケースの組み合わせであっても携帯ストラップの取付けを可能にする携帯品のケースへの携帯ストラップの取り付け方法を提供する。【解決手段】ストッパー３を部材通し部に外側から内側に通し、ディスプレイ用開口部１０の外に出した状態にしてケース本体９に携帯品５を収納し、この収納によって紐部材２をケース本体９の内壁と携帯品５との間に位置させかつストッパー３をケース本体９の外に位置させた状態にし、紐部材２が物品４側に引っ張られてもストッパー３がケース本体９と携帯品５の間に入れず止められて、ストッパー３が抜け外れできない形態に取り付ける。【選択図】図２
2014112814.tif 000002
【特許請求の範囲】
【請求項１】
（１）紐部材と、この紐部材の一方側にあるいは適宜な箇所に設けられたあるいは取り付けられるように該紐部材と一緒に提供されたストッパーと、前記紐部材の他方側に設けられたあるいは取り付けられるように該紐部材と一緒に提供された機能性物品や飾り性物品などの物品とを備えた携帯ストラップ、
（２）携帯電話、スマートフォン、携帯カメラ、携帯テレビ、タブレット端末、携帯パソコンなどのディスプレイを正面に有する携帯品、
（３）前記携帯品を収納するケース本体と、このケース本体の正面部に設けられた該ケース本体に収納した前記携帯品の前記ディスプレイに指でタッチできるように開口されたディスプレイ用開口部と、前記ケース本体の背面部あるいは該ケース本体の側面部に設けられた開口部あるいは孔部である前記ストッパーが通り抜ける大きさあるいは形態の部材通し部とを備えた携帯品のケース、
（４）前記携帯品のケースへの前記携帯ストラップの取り付け方法であって、
前記ストッパーを前記部材通し部に外側から内側に通し、前記ディスプレイ用開口部の外、前記ケース本体の側面部の外あるいは前記ケース本体の背面部の外に出した状態にして前記ケース本体に前記携帯品を収納し、この収納によって前記紐部材あるいは前記ストッパーの一部を前記ケース本体の内壁と前記携帯品との間に位置させかつ前記ストッパーを前記ケース本体の外に位置させた状態にし、前記紐部材が前記物品側に引っ張られても前記ストッパーが前記ケース本体と前記携帯品の間に入れず止められて、前記ストッパーが抜け外れできない形態に取り付けることを特徴とする携帯品のケースへの携帯ストラップの取り付け方法。
【請求項２】
（１）紐部材と、この紐部材の適宜な箇所に設けられた摩擦部材からなる挟持ストッパー部と、前記紐部材の他方側に設けられたあるいは取り付けられるように該紐部材と一緒に提供された機能性物品や飾り性物品などの物品とを備えた携帯ストラップ、
（２）携帯電話、スマートフォン、携帯カメラ、携帯テレビ、タブレット端末、携帯パソコンなどのディスプレイを正面に有する携帯品、
（３）前記携帯品を収納するケース本体と、このケース本体の正面部に設けられた該ケース本体に収納した前記携帯品の前記ディスプレイに指でタッチできるように開口されたディスプレイ用開口部と、前記ケース本体の背面部あるいは該ケース本体の側面部に設けられた開口部あるいは孔部である前記挟持ストッパー部が通り抜ける大きさあるいは形態の部材通し部とを備える携帯品のケース、
（４）前記携帯品のケースへの前記携帯ストラップの取り付け方法であって、
前記挟持ストッパー部を前記部材通し部に外側から内側に通して、前記物品側の紐部材の長さを好み長さとなる位置に前記挟持ストッパー部を位置させ、前記ケース本体に前記携帯品を収納し、この収納によって前記挟持ストッパー部を前記ケース本体の内壁と前記携帯品との間に挟持状態にし、前記紐部材が前記物品側に引っ張られても前記挟持ストッパー部と前記携帯品と前記ケース本体の挟持による摩擦によって、前記挟持ストッパー部が容易には抜け外れできない形態に取り付けることを特徴とする携帯品のケースへの携帯ストラップの取り付け方法。
【請求項３】
紐部材、この紐部材の一方側にあるいは適宜な箇所に設けられたあるいは取り付けられるように該紐部材と一緒に提供されたストッパー、前記紐部材の他方側に設けられたあるいは取り付けられるように該紐部材と一緒に提供された機能性物品や飾り性物品などの物品からなる携帯ストラップを取り付けることが可能な携帯品のケースであって、
携帯電話、スマートフォン、携帯カメラ、携帯パソコンなどの正面側にディスプレイを有し、かつ、背面側にカメラレンズを有する携帯品を収納するケース本体と、
このケース本体の正面部に設けられた収納した前記携帯品の前記ディスプレイに指でタッチできるように開口されたディスプレイ用開口部と、
前記ケース本体の背面部あるいは側面部に設けられた、前記ストッパーが通り抜ける形態の部材通し部と、
前記ケース本体の内壁面に設けられた前記紐部材が入る紐入り溝と、を備えてなるとともに、
前記紐入り溝に前記紐部材が入ることによって、該紐部材が該ケース本体を強く押すことが生じないようにさせたことを特徴とする携帯品のケース。
【請求項４】
（１）携帯電話、スマートフォン、携帯カメラ、携帯テレビ、タブレット端末、携帯パソコンなどのディスプレイを正面に有する携帯品、
（２）前記携帯品を収納するケース本体と、このケース本体の正面部に設けられた該ケース本体に収納した前記携帯品の前記ディスプレイに指でタッチできるように開口されたディスプレイ用開口部と、前記ケース本体の背面部あるいは該ケース本体の側面部に設けられた開口部あるいは孔部である部材通し部とを備える携帯品のケース、
（３）前記携帯品のケースに前記携帯品を収納した状態で該携帯品のケースと前記携帯品との間に入れられる紐部材と、この紐部材の一方の側に設けられた、前記部材通し部を通り抜ける大きさあるいは形態のストッパーを備えるとともに、
前記ストッパーを前記部材通し部に外側から内側に通し、前記ディスプレイ用開口部の外、前記ケース本体の側面部の外あるいは前記ケース本体の背面部の外に出した状態にして前記ケース本体に前記携帯品を収納し、前記ストッパーを前記ケース本体の外に位置させた状態にし、前記紐部材が前記物品側に引っ張られても前記ストッパーが前記ケース本体と前記携帯品の間に入れず止められて、前記ストッパーが抜け外れできない形態に取り付けることができることを特徴とする携帯ストラップ。
【請求項５】
（１）携帯電話、スマートフォン、携帯カメラ、携帯テレビ、タブレット端末、携帯パソコンなどのディスプレイを正面に有する携帯品、
（２）前記携帯品を収納するケース本体と、このケース本体の正面部に設けられた該ケース本体に収納した前記携帯品の前記ディスプレイに指でタッチできるように開口されたディスプレイ用開口部と、前記ケース本体の背面部あるいは該ケース本体の側面部に設けられた開口部あるいは孔部である部材通し部とを備える携帯品のケース、
（３）紐部材と、
この紐部材の適宜な箇所に設けられた摩擦部材からなる挟持ストッパー部と、
前記紐部材の他方側に設けられたあるいは取り付けられるように該紐部材と一緒に提供された機能性物品や飾り性物品などの物品と、を備えてなるとともに、
前記挟持ストッパー部を前記部材通し部に外側から内側に通して、前記物品側の紐部材の長さを好み長さとなる位置に前記挟持ストッパー部を位置させ、前記ケース本体に前記携帯品を収納し、この収納によって前記挟持ストッパー部を前記ケース本体の内壁と前記携帯品との間に挟持状態にし、前記紐部材が前記物品側に引っ張られても前記挟持ストッパー部と前記携帯品と前記ケース本体の挟持による摩擦によって、前記挟持ストッパー部が容易には抜け外れできない形態に取り付けることを可能としたことを特徴とする携帯ストラップ。
【請求項６】
紐部材の他方側に設けられたあるいは取り付けられるように該紐部材と一緒に提供された機能性物品や飾り性物品などの物品が設けられ、前記物品に携帯品のイヤホンジャックに差し込まれる棒部が設けられてなることを特徴とする請求項４、５いずれか１項に記載の携帯ストラップ。
【請求項７】
（１）携帯電話、スマートフォン、携帯カメラ、携帯テレビ、タブレット端末、携帯パソコンなどのディスプレイを正面に有する携帯品、
（２）前記携帯品を収納するケース本体と、このケース本体の正面部に設けられた該ケース本体に収納した前記携帯品の前記ディスプレイに指でタッチできるように開口されたディスプレイ用開口部と、前記ケース本体の背面部あるいは該ケース本体の側面部に設けられた開口部あるいは孔部である部材通し部とを備える携帯品のケース、
（３）紐部材と、この紐部材の一方側にあるいは適宜な箇所に設けられたあるいは取り付けられるように該紐部材と一緒に提供されたストッパーと、前記紐部材の他方側に設けられたあるいは取り付けられるように該紐部材と一緒に提供された機能性物品や飾り性物品などの物品とを備える携帯ストラップ、
（４）前記携帯品のケースに前記携帯品を収納した状態で該携帯品のケースと前記携帯品との間に入れられて、該携帯品のケースの内壁面と該携帯品とで挟持されかつその一部が前記携帯品のケースの外に出る長さの厚さあるいは太さが０．３ｍｍ以下の紐体と、この紐体の一方の側に設けられた取り付け部材のストッパーと、前記紐体の他方の側である前記携帯品のケースの外に出た部位に設けられた、前記紐部材を折り畳んだ２本状態で通すことができかつ前記ストッパーが通らない大きさあるいは形態の紐通し孔と、を備えるとともに、
前記取り付け部材のストッパーを前記携帯品のケースの外に位置させて前記紐体を前記部材通し部に内側から通して前記部材通し部から外に出した状態にして前記ケース本体に前記携帯品を収納し、前記部材通し部から出ている前記紐通し孔に前記紐部材を折り畳んだ２本状態で通し、通り抜けた部位を広げて潜らせループを形成し、この潜らせループに前記ストッパーを潜らせて該潜らせループを締め縮めて該ストッパーが抜けないように取付けた前記携帯ストラップの取り付け状態にし、前記携帯ストラップが引っ張られても前記取り付け部材のストッパーが前記ケース本体と前記携帯品の間に入れず止められて、前記取り付け部材のストッパーが抜け外れできない形態に取り付けることを可能としたことを特徴とする携帯品のケース用取り付け部材。
【発明の詳細な説明】
【技術分野】
【０００１】
本発明は、携帯品のケースへの携帯ストラップの取り付け方法、携帯品のケース（カバーを含む）、携帯ストラップ並びに携帯品のケース用取り付け部材に関する。
【背景技術】
【０００２】
従来のディスプレイを備えた携帯電話、スマートフォン（多機能携帯電話）、タブレット端末などの携帯品において、携帯ストラップを取り付けるための紐通し孔を設けていないものがある。例えば、アップル社のiphone（登録商標）がその代表的なものであり、欧米製の携帯電話にあってはその多くが携帯ストラップを取り付けるための紐通し孔（「ストラップホール」とも言われている）を設けていないものである。（例えば、特許文献１）
そして、それら携帯品を収納する携帯品のケース（カバーを含む）にも携帯ストラップを取り付けるための紐通し孔を設けてないものがある。
【先行技術文献】
【特許文献】
【０００３】
【特許文献１】特開2012-19981号公報
【非特許文献】
【０００４】
【非特許文献１】特になし
【発明の概要】
【発明が解決しようとする課題】
【０００５】
上述した従来技術は、携帯ストラップの紐を取り付ける紐通し孔が無いために、携帯品が手から落ちても安全なようにする機能性の携帯ストラップや飾り携帯ストラップを取り付けることができないという問題を有するものであった。
【０００６】
本発明は以上のような従来技術の欠点に鑑み、携帯ストラップを取り付ける紐取り付け孔を有さない携帯品と携帯品のケース（カバーを含む）の組み合わせであっても携帯ストラップの取付けを可能にする携帯品のケースへの携帯ストラップの取り付け方法を提供することを目的としている。
また、前記携帯ストラップの取り付け方法に適した携帯品のケース、携帯ストラップ並びに携帯品のケース用取り付け部材を提供することを目的としている。
【課題を解決するための手段】
【０００７】
上記目的を達成するために、本発明は次に述べるような構成となっている。
＜請求項1記載の発明＞
（１）紐部材と、この紐部材の一方側にあるいは適宜な箇所に設けられたあるいは取り付けられるように該紐部材と一緒に提供されたストッパーと、前記紐部材の他方側に設けられたあるいは取り付けられるように該紐部材と一緒に提供された機能性物品や飾り性物品などの物品とを備えた携帯ストラップ、
（２）携帯電話、スマートフォン、携帯カメラ、携帯テレビ、タブレット端末、携帯パソコンなどのディスプレイを正面に有する携帯品、
（３）前記携帯品を収納するケース本体と、このケース本体の正面部に設けられた該ケース本体に収納した前記携帯品の前記ディスプレイに指でタッチできるように開口されたディスプレイ用開口部と、前記ケース本体の背面部あるいは該ケース本体の側面部に設けられた開口部あるいは孔部である前記ストッパーが通り抜ける大きさあるいは形態の部材通し部とを備えた携帯品のケース、
（４）前記携帯品のケースへの前記携帯ストラップの取り付け方法であって、
前記ストッパーを前記部材通し部に外側から内側に通し、前記ディスプレイ用開口部の外、前記ケース本体の側面部の外あるいは前記ケース本体の背面部の外に出した状態にして前記ケース本体に前記携帯品を収納し、この収納によって前記紐部材あるいは前記ストッパーの一部を前記ケース本体の内壁と前記携帯品との間に位置させかつ前記ストッパーを前記ケース本体の外に位置させた状態にし、前記紐部材が前記物品側に引っ張られても前記ストッパーが前記ケース本体と前記携帯品の間に入れず止められて、前記ストッパーが抜け外れできない形態に取り付けることを特徴とする携帯品のケースへの携帯ストラップの取り付け方法である。
「部材通し部」には、ケース本体の背面部が内側に出る顎部位（突出縁）を残して略全部開口形態であるもの、カメラレンズによる撮影がケースに入れたままできるようにするための撮影用開口部を含むものである。
「紐部材」は、非ループの一本のみの一本紐、複数本紐、ループ紐など多様な形態を含み、その種類も複数の芯紐を編組部によって束ねてなる芯有編組紐、芯無しの芯無編組紐、リボンなどの平紐などを含むものである。
「ストッパー」には、紐部材自身により形成された結び目、紐部材所を移動自在に設けられた部材、紐部材の他方側に設けられた該紐部材の線径より広い部位をゆする部材などがある。
「スマートフォン」とは多機能携帯電話のことを言う。
「物品」、「ストッパー」は多種多様な形態、形状、材質のものが含まれる。
「ケース」にはカバーを含むものである。
＜請求項２記載の発明＞
（１）紐部材と、この紐部材の適宜な箇所に設けられた摩擦部材からなる挟持ストッパー部と、前記紐部材の他方側に設けられたあるいは取り付けられるように該紐部材と一緒に提供された機能性物品や飾り性物品などの物品とを備えた携帯ストラップ、
（２）携帯電話、スマートフォン、携帯カメラ、携帯テレビ、タブレット端末、携帯パソコンなどのディスプレイを正面に有する携帯品、
（３）前記携帯品を収納するケース本体と、このケース本体の正面部に設けられた該ケース本体に収納した前記携帯品の前記ディスプレイに指でタッチできるように開口されたディスプレイ用開口部と、前記ケース本体の背面部あるいは該ケース本体の側面部に設けられた開口部あるいは孔部である前記挟持ストッパー部が通り抜ける大きさあるいは形態の部材通し部とを備える携帯品のケース、
（４）前記携帯品のケースへの前記携帯ストラップの取り付け方法であって、
前記挟持ストッパー部を前記部材通し部に外側から内側に通して、前記物品側の紐部材の長さを好み長さとなる位置に前記挟持ストッパー部を位置させ、前記ケース本体に前記携帯品を収納し、この収納によって前記挟持ストッパー部を前記ケース本体の内壁と前記携帯品との間に挟持状態にし、前記紐部材が前記物品側に引っ張られても前記挟持ストッパー部と前記携帯品と前記ケース本体の挟持による摩擦によって、前記挟持ストッパー部が容易には抜け外れできない形態に取り付けることを特徴とする携帯品のケースへの携帯ストラップの取り付け方法である。
＜請求項３記載の発明＞
紐部材、この紐部材の一方側にあるいは適宜な箇所に設けられたあるいは取り付けられるように該紐部材と一緒に提供されたストッパー、前記紐部材の他方側に設けられたあるいは取り付けられるように該紐部材と一緒に提供された機能性物品や飾り性物品などの物品からなる携帯ストラップを取り付けることが可能な携帯品のケースであって、
携帯電話、スマートフォン、携帯カメラ、携帯パソコンなどの正面側にディスプレイを有し、かつ、背面側にカメラレンズを有する携帯品を収納するケース本体と、
このケース本体の正面部に設けられた収納した前記携帯品の前記ディスプレイに指でタッチできるように開口されたディスプレイ用開口部と、
前記ケース本体の背面部あるいは側面部に設けられた、前記ストッパーが通り抜ける形態の部材通し部と、
前記ケース本体の内壁面に設けられた前記紐部材が入る紐入り溝と、を備えてなるとともに、
前記紐入り溝に前記紐部材が入ることによって、該紐部材が該ケース本体を強く押すことが生じないようにさせたことを特徴とする携帯品のケースである。
＜請求項４記載の発明＞
（１）携帯電話、スマートフォン、携帯カメラ、携帯テレビ、タブレット端末、携帯パソコンなどのディスプレイを正面に有する携帯品、
（２）前記携帯品を収納するケース本体と、このケース本体の正面部に設けられた該ケース本体に収納した前記携帯品の前記ディスプレイに指でタッチできるように開口されたディスプレイ用開口部と、前記ケース本体の背面部あるいは該ケース本体の側面部に設けられた開口部あるいは孔部である部材通し部とを備える携帯品のケース、
（３）前記携帯品のケースに前記携帯品を収納した状態で該携帯品のケースと前記携帯品との間に入れられる紐部材と、この紐部材の一方の側に設けられた、前記部材通し部を通り抜ける大きさあるいは形態のストッパーを備えるとともに、
前記ストッパーを前記部材通し部に外側から内側に通し、前記ディスプレイ用開口部の外、前記ケース本体の側面部の外あるいは前記ケース本体の背面部の外に出した状態にして前記ケース本体に前記携帯品を収納し、前記ストッパーを前記ケース本体の外に位置させた状態にし、前記紐部材が前記物品側に引っ張られても前記ストッパーが前記ケース本体と前記携帯品の間に入れず止められて、前記ストッパーが抜け外れできない形態に取り付けることができることを特徴とする携帯ストラップである。
＜請求項５記載の発明＞
（１）携帯電話、スマートフォン、携帯カメラ、携帯テレビ、タブレット端末、携帯パソコンなどのディスプレイを正面に有する携帯品、
（２）前記携帯品を収納するケース本体と、このケース本体の正面部に設けられた該ケース本体に収納した前記携帯品の前記ディスプレイに指でタッチできるように開口されたディスプレイ用開口部と、前記ケース本体の背面部あるいは該ケース本体の側面部に設けられた開口部あるいは孔部である部材通し部とを備える携帯品のケース、
（３）紐部材と、
この紐部材の適宜な箇所に設けられた摩擦部材からなる挟持ストッパー部と、
前記紐部材の他方側に設けられたあるいは取り付けられるように該紐部材と一緒に提供された機能性物品や飾り性物品などの物品と、を備えてなるとともに、
前記挟持ストッパー部を前記部材通し部に外側から内側に通して、前記物品側の紐部材の長さを好み長さとなる位置に前記挟持ストッパー部を位置させ、前記ケース本体に前記携帯品を収納し、この収納によって前記挟持ストッパー部を前記ケース本体の内壁と前記携帯品との間に挟持状態にし、前記紐部材が前記物品側に引っ張られても前記挟持ストッパー部と前記携帯品と前記ケース本体の挟持による摩擦によって、前記挟持ストッパー部が容易には抜け外れできない形態に取り付けることを可能としたことを特徴とする携帯ストラップである。
＜請求項６記載の発明＞
紐部材の他方側に設けられたあるいは取り付けられるように該紐部材と一緒に提供された機能性物品や飾り性物品などの物品が設けられ、前記物品に携帯品のイヤホンジャックに差し込まれる棒部が設けられてなることを特徴とする請求項４、５いずれか１項に記載の携帯ストラップである。
＜請求項７記載の発明＞
（１）携帯電話、スマートフォン、携帯カメラ、携帯テレビ、タブレット端末、携帯パソコンなどのディスプレイを正面に有する携帯品、
（２）前記携帯品を収納するケース本体と、このケース本体の正面部に設けられた該ケース本体に収納した前記携帯品の前記ディスプレイに指でタッチできるように開口されたディスプレイ用開口部と、前記ケース本体の背面部あるいは該ケース本体の側面部に設けられた開口部あるいは孔部である部材通し部とを備える携帯品のケース、
（３）紐部材と、この紐部材の一方側にあるいは適宜な箇所に設けられたあるいは取り付けられるように該紐部材と一緒に提供されたストッパーと、前記紐部材の他方側に設けられたあるいは取り付けられるように該紐部材と一緒に提供された機能性物品や飾り性物品などの物品とを備える携帯ストラップ、
（４）前記携帯品のケースに前記携帯品を収納した状態で該携帯品のケースと前記携帯品との間に入れられて、該携帯品のケースの内壁面と該携帯品とで挟持されかつその一部が前記携帯品のケースの外に出る長さの厚さあるいは太さが０．３ｍｍ以下の紐体と、この紐体の一方の側に設けられた取り付け部材のストッパーと、前記紐体の他方の側である前記携帯品のケースの外に出た部位に設けられた、前記紐部材を折り畳んだ２本状態で通すことができかつ前記ストッパーが通らない大きさあるいは形態の紐通し孔と、を備えるとともに、
前記取り付け部材のストッパーを前記携帯品のケースの外に位置させて前記紐体を前記部材通し部に内側から通して前記部材通し部から外に出した状態にして前記ケース本体に前記携帯品を収納し、前記部材通し部から出ている前記紐通し孔に前記紐部材を折り畳んだ２本状態で通し、通り抜けた部位を広げて潜らせループを形成し、この潜らせループに前記ストッパーを潜らせて該潜らせループを締め縮めて該ストッパーが抜けないように取付けた前記携帯ストラップの取り付け状態にし、前記携帯ストラップが引っ張られても前記取り付け部材のストッパーが前記ケース本体と前記携帯品の間に入れず止められて、前記取り付け部材のストッパーが抜け外れできない形態に取り付けることを可能としたことを特徴とする携帯品のケース用取り付け部材である。
【発明の効果】
【０００８】
以上の説明から明らかなように、本発明にあっては次に列挙する効果が得られる。
＜請求項1記載の発明の効果＞
（１）ストッパーを部材通し部に外側から内側に通し、ディスプレイ用開口部の外、ケース本体の側面部の外あるいはケース本体の背面部の外に出した状態にしてケース本体に携帯品を収納し、この収納によって紐部材あるいは前記ストッパーの一部を前記ケース本体の内壁と前記携帯品との間に位置させかつ前記ストッパーを前記ケース本体の外に位置させた状態にし、前記紐部材が物品側に引っ張られても前記ストッパーが前記ケース本体と前記携帯品の間に入れず止められて、前記ストッパーが抜け外れできない形態に取り付けられるので、携帯ストラップを取り付ける紐取り付け孔を有さない携帯品と携帯品のケースの組み合わせであっても携帯ストラップの取付けを実現するという効果を奏する。
（２）また、ストッパーが正面側に出された状態にあっては、携帯ストラップが引かれた場合、ストッパーが携帯品の正面を抑えるよう機能するので、該携帯品がディスプレイ用開口部から外れ難くなるという効果を奏する。
すなわち、リング付きの携帯ストラップの該リングに指を通して、手から落ちても落下が止められるようにする使用では、携帯品が手から落ちて紐部材が引っ張られるとストッパーも携帯品の正面を抑えるので携帯品が携帯品のケースから外れ難くなるので、より安全性を高めるものである。
（３）また、複数の携帯ストラップを取り付けることを可能にするという効果を奏する。
＜請求項２記載の発明の効果＞
紐部材の適宜な箇所に設けられた摩擦部材からなる挟持ストッパー部を、部材通し部に外側から内側に通して、物品側の紐部材の長さを好み長さとなる位置に前記挟持ストッパー部を位置させ、ケース本体に携帯品を収納し、この収納によって前記挟持ストッパー部を前記ケース本体の内壁と前記携帯品との間に挟持状態にし、紐部材が前記物品側に引っ張られても前記挟持ストッパー部と前記携帯品と前記ケース本体の挟持による摩擦によって、前記挟持ストッパー部が容易には抜け外れできない形態に取り付ける取付け方法であるので、
前記請求項１記載の発明の効果と異なる点は、挟持ストッパー部は携帯品のケースおよび携帯品の外側には露出しない形態を実現するものである。
＜請求項３記載の発明の効果＞
ケース本体の内壁面に紐部材が入る紐入り溝を設けているので、紐部材を紐入り溝に入れた状態でケース本体に携帯品を収納することができるものであるので、請求項１、２のいずれか１項に記載の発明と同様な効果を奏するとともに、紐入り溝に紐部材が入っているので、紐部材がケース本体を強く押して歪みを生じさせないようにできる携帯品のケースを実現するという効果を奏する。
＜請求項４記載の発明の効果＞
ストッパーを部材通し部に外側から内側に通し、ディスプレイ用開口部の外、ケース本体の側面部の外あるいはケース本体の背面部の外に出した状態にしてケース本体に携帯品を収納し、前記ストッパーを前記ケース本体の外に位置させた状態にし、紐部材が物品側に引っ張られても前記ストッパーが前記ケース本体と前記携帯品の間に入れず止められて、前記ストッパーが抜け外れできない形態に取り付けることができる携帯ストラップであるので、前記請求項１記載の発明の帯品のケースへの携帯ストラップの取り付け方法を可能とする携帯ストラップを実現しているという効果を奏する。
＜請求項５記載の発明の効果＞
紐部材の適宜な箇所にケース本体の内壁と携帯品との間に挟持状態される、摩擦部材からなる挟持ストッパー部を設けているので、前記請求項２記載の発明の帯品のケースへの携帯ストラップの取り付け方法を可能とする携帯ストラップを実現しているという効果を奏する。
＜請求項６記載の発明の効果＞
イヤホンジャックに差し込まれる棒部を有する物品に紐部材と、該紐部材にストッパーないし挟持ストッパー部が設けられた形態であるので、棒部を有する物品をイヤホンジャックから外しても、そのままぶら下げておくことができるので、手に持ったり、テーブル等に置いたりする必要がなく、棒部を有する物品を紛失することがないという効果を奏する。
＜請求項７記載の発明の効果＞
前記請求項１記載の発明の帯品のケースへの携帯ストラップの取り付け方法を実現するともに次に述べるような効果を奏する。
（１）携帯品のケース用取り付け部材は、紐体の紐通し孔の側を携帯品のケースの外に出すことができる箇所ならどこにでもセット（複数セットも可能）することができるので、携帯ストラップの付ける選択箇所が増えるという効果を奏する。
（２）前記（１）によって、複数の携帯品のケース用取り付け部材をセットすることができるので、複数の携帯ストラップを取り付けることを可能にするという効果を奏する。
（３）携帯ストラップを、紐通し孔に紐部材を折り畳んだ２本状態で通し、通り抜けた部位を広げて潜らせループを形成し、この潜らせループにストッパーを潜らせて該潜らせループを締め縮めて該ストッパーが抜けないように取付けるという形態の携帯ストラップとすることによって、携帯品のケース用取り付け部材を外すことなく、携帯ストラップの付け替えを簡単に行うことを可能にするという効果を奏する。
（４）紐体の厚さあるいは太さが０．３ｍｍ以下と薄いものであるので、携帯品のケースと携帯品に挟持された状態にあっても、携帯品のケースを押して歪めることが小さくできるという効果を奏する。
【図面の簡単な説明】
【０００９】
【図１】本発明の実施例１を示す取付け手順の斜視図。
【図２】図２の続きの斜視図。
【図３】本発明の実施例２を示す取付け手順の斜視図。
【図４】本発明の実施例３を示す斜視図。
【図５】本発明の実施例４を示す斜視図。
【図６】本発明の実施例５を示す取付け手順の斜視図。
【図７】本発明の実施例６を示す取付け手順の斜視図。
【図８】本発明の実施例７を示す取付け手順の斜視図。
【図９】本発明の実施例８の携帯品のケース用取り付け部材の正面図、右側面図および平面図、その使用状態を示す斜視図。
【図１０】本発明の実施例９を示す取付け手順の斜視図。
【図１１】本発明の実施例１０を示す取付け手順の斜視図。
【図１２】本発明の実施例１１の取り付け状態を示す斜視図。
【図１３】本発明の実施例１２の携帯ストラップのセット前の状態の斜視図。
【図１４】本発明の実施例１２の携帯ストラップをセットした状態の斜視図。
【図１５】本発明の実施例１２の携帯ストラップの異なるセット状態の斜視図。
【図１６】本発明の実施例１３の携帯ストラップのセット前とセット後の斜視図。
【図１７】本発明の実施例１４の携帯ストラップのセット前とセット後の斜視図。
【図１８】本発明の実施例１５の携帯ストラップのセット前とセット後の斜視図。
【図１９】本発明の実施例１６の携帯ストラップの取付け手順の斜視図。
【図２０】本発明の実施例１７の携帯ストラップの取付け手順の斜視図。
【図２１】本発明の実施例１８の携帯ストラップの正面図。
【図２２】本発明の実施例１９の携帯ストラップの正面図。
【図２３】本発明の実施例１９の携帯ストラップの取付け手順の斜視図。
【発明を実施するための形態】
【００１０】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１、図２に示す本発明の実施例１について説明する。
（１）１は携帯ストラップであり、この携帯ストラップ１は非ループの一本形態の紐部材２（１．０ｍｍ以下、好ましくは０．８ｍｍ以下、より好ましくは０．５ｍｍ以下）と、この紐部材２の一方側に設けられたあるいは取り付けられるように該紐部材２と一緒に提供されたストパー物品（あるいは結び目でもよい）からなるストッパー３と、紐部材２の他方側に設けられたあるいは取り付けられるように該紐部材２と一緒に提供されたナイロン紐製スプリングリング部材からなる物品４（物品は人形、ビーズ飾りなどの装飾品でもよい）とからなっている。
（２）携帯品５は、正面にタッチパネルであるディスプレイ６を有し、背面にはカメラレンズ（図示せず省略）をする携帯電話、スマートフォン、携帯カメラあるいはタブレット端末である。
（３）携帯品のケース７（カバーを含む）は、携帯品５を収納する収納部８を有するケース本体９と、このケース本体９の正面部に設けられた該ケース本体９に収納した携帯品５のディスプレイ６に指でタッチできるように開口されたディスプレイ用開口部１０と、ケース本体９の背面部設けられた開口部あるいは孔部であるストッパー３が通り抜ける大きさあるいは形態の、カメラレンズの撮影用開口である部材通し部１１とからなっている。
（４）携帯品５のケース７への携帯ストラップ１の次のような取り付け方法を実現するものである。
すなわち、ストッパー３を部材通し部１１に外側から内側に通し、ディスプレイ用開口部１０の外に出した状態にしてケース本体９に携帯品５を収納し、この収納によって紐部材２をケース本体９の内壁と携帯品５との間に位置させかつストッパー３をケース本体９の外に位置させた状態にし、紐部材２が物品４側に引っ張られてもストッパー３がケース本体９と携帯品５の間に入れず止められて、ストッパー３が抜け外れできない形態（図２の下図参照）に取り付ける携帯品のケースへの携帯ストラップの取り付け方法を実現する。
カメラで撮影するときは、紐部材２をストッパー３の根元に巻き付けて、紐部材２がカメラレンズの撮影用開口である部材通し部１１の前に行かないようにして行うとよい。
【００１２】
ストッパー３は、携帯品５のディスプレイ６を擦っても該のディスプレイ６やディスプレイ保護フィルムを傷つけない、シリコンゴム製部材、天然ゴム部材、合成ゴム製部材、合成樹脂製部材あるいは木製部材などの植物性部材などの柔らかい素材であるものがよい。
【００１３】
（１）ストッパー３を部材通し部１１に外側から内側に通し、ディスプレイ用開口部１０の外に出した状態にしてケース本体９に携帯品５を収納し、この収納によって紐部材２をケース本体９の内壁と携帯品５との間に位置させかつストッパー３をケース本体９の外に位置させた状態にし、紐部材２が物品４側に引っ張られてもストッパー３がケース本体９と携帯品５の間に入れず止められて、よってストッパー３が抜け外れできない形態に取り付けられるので、携帯ストラップ４を取り付ける紐取り付け孔を有さない携帯品５と携帯品のケース７の組み合わせであっても携帯ストラップの取付けを実現する。
（２）また、ストッパー３が図２の下図のように正面側に出された状態にあっては、携帯ストラップ１が引かれた場合、ストッパー３が携帯品５の正面を抑えるよう機能するので、該携帯品５がディスプレイ用開口部１０から外れ難くなる。
すなわち、リ物品４に指を通して、携帯品を収納した携帯品のケース７が、手から落ちても落下が止められるようにする使用では、携帯品を収納した携帯品のケース７が手から落ちて紐部材２が引っ張られるとストッパー３も携帯品５の正面を抑えるので携帯品５が携帯品のケース７から外れ難くなるので、より安全性を高めるものである。
（３）また、複数の携帯ストラップを取り付けることを可能にするものである。
【実施例２】
【００１４】
図３に示す本発明の実施例２において前記実施例１と主に異なる点は、ケース本体９の背面部１３のあるいはケース本体９の側面部１４の撮影用開口部である部材通し部１１の真上以外の異なる箇所（ここでは背面部１３の部材通し部１１の下方）に、開口部あるいは孔部からなるストッパー３が通り抜ける大きさあるいは形態のストッパー３専用の部材通し部１５を設け、側面板１４の内壁面に部材通し部１５から立ち上がり形態で紐部材２が嵌るないし入る紐入り溝１６を設けてなる携帯品のケース１７を形成した点にある。
背面部１３の部材通し部１１の下方に部材通し部１５を設けたので、カメラでの撮影のときに紐部材２が撮影用開口部である部材通し部１１にかからず撮影の邪魔にならない携帯品のケースを実現する。
紐部材２を記紐入り溝１６に入れた状態でケース本体９に携帯品５を収納することができるものであるので、紐部材２の太さによって外側に押されて生じるケース本体９の歪みを生じないようにできる携帯品のケースを実現する。
１２はイヤホンジャックを通すためのイヤホンプラグ通し孔である。
【実施例３】
【００１５】
図４に示す本発明の実施例３において前記実施例１と主に異なる点は、携帯ストラップを、紐部材の全部が厚み０．３ｍｍ以下の平紐部材であるストラップ紐部材１９としてなる携帯ストラップ２０を形成した点にある。
一部を厚み０．３ｍｍ以下の平紐部材とした紐部材もよい。
また、携帯品のケースを、背面部を大きく開口してなる背面開口部２１としてなる携帯品のケース２２を形成した点にある。
紐部材１９が厚み０．３ｍｍ以下の平紐部材である薄いものであるので、携帯品のケース２２と携帯品５（図示せず省略）に挟持された状態にあっても、携帯品のケース２２の側面部１４を押して歪めることが小さい携帯ストラップを実現している。
【実施例４】
【００１６】
図５に示す本発明の実施例４において前記実施例１と主に異なる点は、携帯品のケースを、背面部１３に横線状孔と縦線状孔が交差する形態の紐部材２を通すことができかつ移動することができる紐部材通り孔２４を設け、この紐部材通り孔２４の横線状孔が部材通し部１１に連絡した形態としてなる携帯品のケース２５を形成した点にある。
カメラ撮影時に紐部材２が部材通し部１１に掛からない箇所、あるいは使用し易い好みの箇所に携帯ストラップを取り付けることができる。
また、複数の携帯ストラップを異なる箇所に取り付けることができる。
【実施例５】
【００１７】
図６に示す本発明の実施例５において前記実施例２と主に異なる点は、携帯ストラップを、ストラップ紐部材をループ形態のストラップ紐部材２７とし、このストラップ紐部材２７に該ストラップ紐部材２７上を移動自在形態でストッパー２８を設けてなる携帯ストラップ２９を形成した点にある。
また、左側に形成されている部材通し部１５と略同じ形態の部材通し部１８を右側に形成している。好みによって左右どちらかの部材通し部を使用することも、二つの携帯ストラップを取り付けることも、後述する図１３のような形態の携帯ストラップの取付けも実現可能としている。
ストッパー２８の形態は球体物に限られず、例えば、柔軟性塩化ビニール製ホースやシリコンゴム製ホースなどの柔軟性のある細いホースの短い形態のもの、キャラクター顔部材、ロゴ部材など多様な形態のものがある。
【実施例６】
【００１８】
図７に示す本発明の実施例６において前記実施例１と主に異なる点は、携帯品のケースを、背面部１３に部材通し部１１の上方以外の異なる箇所にストッパー３を通すことができる大きさないし形態の部材通し部３１を設け、この部材通し部３１に隣接する側面部１４に紐部材２を通す溝形態の紐部材通し部３２を設けてなる携帯品のケース３３を形成した点にある。
【実施例７】
【００１９】
図８に示す本発明の実施例７において前記実施例１と主に異なる点は、携帯品のケースを、側面部１４にストッパー３を通す開口形態ないし孔形態の部材通し部３５を設けてなる携帯品のケース３６を形成した点にある。
【実施例８】
【００２０】
図９に示す本発明の実施例８において３８は携帯品のケース用取り付け部材であって、この携帯品のケース用取り付け部材３８は以下に述べるような構成となっている。
（１）図９の（ａ）図、（ｂ）図にあっては、
帯品のケース２２（図４参照）に携帯品５を収納した状態で該携帯品のケース２２と携帯品５との間に入れられて、該携帯品のケース２２の内壁面と該携帯品５とで挟持されかつその一部が携帯品のケース２２の外に出る長さの厚さあるいは太さが０．３ｍｍ以下の紐体３９（ここでは平紐体）と、この紐体３９の一方の側に設けられた取り付け部材のストッパー４０と、紐体３９の他方の側である携帯品のケース２２の外に出た部位に設けられた、紐部材２を折り畳んだ２本状態で通すことができかつストッパー３が通らない大きさあるいは形態の紐通し孔４１とからなるとともに、
取り付け部材のストッパーを携帯品のケース２２の上側外に位置させて紐体３９を内側から部材通し部である背面開口部２１から紐体３９の一部である紐通し孔４１側を外に出した状態にしてケース本体９に携帯品５を収納し、背面開口部２１から出ている紐通し孔４１に紐部材２を折り畳んだ２本状態で通し、通り抜けた部位を広げて潜らせループ４２を形成し、この潜らせループ４２にストッパー３を潜らせて該潜らせループ４２を締め縮めて該ストッパー３が抜けないように取付けた携帯ストラップの取り付け状態にし、携帯ストラップ１が引っ張られても取り付け部材のストッパー４０がケース本体９と携帯品５の間に入れず止められて、取り付け部材のストッパー４０が抜け外れできない形態に取り付けることができることを特徴としている。
（２）図９の（ａ）図、（ｃ）図にあっては、
取り付け部材のストッパーを携帯品のケース３６（図８参照）の上側外に位置させて紐体３９を内側から部材通し部３５から外に出した状態にしてケース本体９に携帯品５を収納し、部材通し部３５から出ている紐通し孔４１に紐部材２を折り畳んだ２本状態で通し、通り抜けた部位を広げて潜らせループ４２を形成し、この潜らせループ４２にストッパー３を潜らせて該潜らせループ４２を締め縮めて該ストッパー３が抜けないように取付けた携帯ストラップの取り付け状態にし、携帯ストラップ１が引っ張られても取り付け部材のストッパー４０がケース本体９と携帯品５の間に入れず止められて、取り付け部材のストッパー４０が抜け外れできない形態に取り付けることができることを特徴としている。
部材通し部３５の外側から紐体３９を入れ紐通し孔４１側をディスプレイ用開口部１０から外に出し、携帯品５を収納して、紐体３９の一部である紐通し孔４１側がケース本体９および携帯品５の上部に出る形態で使用することもできる。
また、ケケース本体９の背面部側に部材通し部がある場合は、紐通し孔４１側を下方から外にだすことも可能である。
【００２１】
携帯品のケース用取り付け部材３８はポリエチレン、ナイロンなどの強靭な合成樹脂製部材によって一体成型によって全ての構成部位が一体的に形成されたものとするのが良い。
この場合、紐通し孔４１側を肉厚部位４３とするのがよい。
【実施例９】
【００２２】
図１０に示す本発明の実施例９において前記実施例２と主に異なる点は、イヤホンプラグ形態の棒部４５を有する動物の顔の物品４６と、この物品４６を他方の側に設けてなる紐部材２と、この紐部材２の他方の側に設けてなる動物顔のストッパー４７とからなる携帯ストラップ４８と、携帯ストラップ１を取り付けている。
ストッパー４７はイヤホンプラグ通し孔１２を通すことができる形態とするのがよい。こうすることにより、外側からイヤホンプラグ通し孔１２にストッパー４７を通し、ディスプレイ用開口部１０から外に出した状態にし、携帯品のケース７に携帯品５を嵌め込みセットして紐部材２を携帯品のケース７と携帯品５で挟み状態にし、物品４６を引いてストッパー４７を携帯品のケース７および携帯品５あるいはいずれか一方に当接させた取付け状態とし、棒部４５を携帯品５のイヤホンジャックに差し込む。
ストッパー４７はケース７や携帯品５に当接させないぶらつかせた取付け形態とするのもよい。
【実施例１０】
【００２３】
図１１に示す本発明の実施例１０において前記実施例２と主に異なる点は、携帯ストラップを、ストッパー３の一方の側面から他方の側面に貫通する紐通し孔に紐部材２を移動自在形態で通し、紐部材２の先端側にイヤホンジャック形態の棒部４５を有する動物の顔の物品４６を設けてなる携帯ストラップ５０とした点にある。
【実施例１１】
【００２４】
図１２に示す本発明の実施例１１において前記実施例１と主に異なる点は、携帯品のケースを、側面部の上側面壁と下側面壁の無い、携帯品５の保持は左右の側壁のみによって保持する形態である携帯品のケース５２とした点にある。
このような携帯品のケースの場合、図１２に示すように、ストッパー３をケース本体９の側壁部の無い上部側に位置させた取付けも可能とできるものである。
図１２の下図は、紐部材２をストッパー３の紐根元に巻き付けた状態を示しており、カメラ撮影をする際に紐部材２が部材通し部１１に掛からないで撮影の邪魔にならないようにしている。
【実施例１２】
【００２５】
図１３、図１４、図１５に示す本発明の実施例１２において前記実施例３と主に異なる点は、携帯ストラップを、携帯品のケース２２の横幅の２倍程度の長さの紐部材２と、この紐部材２の一方の側に取付けた、ストッパー３と同様な構成で亀形状のストッパー５５と、紐部材２の他方の側に取付けたストッパー５５と同じもので色違いのストッパー５６とから携帯ストラップ５７とした点にある。
携帯品のケース２２の上左右にストッパー５５、５６がはみ出るように置いて、携帯品５を携帯品のケース２２に嵌め込みセットする。
裏側の紐部材を引っ張ってストッパー５５、５６を携帯品のケース２２および携帯品に当接させる。
あるいは、ストッパー５５、５６の両方あるいはいずれか一方を携帯品のケース２２から離した垂れ下がり形態ないし阿智あがり形態にし、触れ動く形態とするのもよい。
裏側には紐部材２によって形成された、複数本の指を入れることができるたるみ部位５８が形成される。
【００２６】
図１５に示すような、ストッパー５５、５６を離して（寄り添わせるもよし）右側に（左側、上側あるいは下側でもよし）配置されるように取付けた、右側にタレ下がったたるみ部位５８に物品５９を取り付けるのもよい。物品５９は紐部材２にあらかじめ設けられてなる携帯ストラップとするのもよい。
【実施例１３】
【００２７】
図１６に示す本発明の実施例１３において前記実施例１２と主に異なる点は、携帯ストラップを、紐部材２に移動自在形態で物品４を設けてなる携帯ストラップ６１を形成した点にある。
【実施例１４】
【００２８】
図１７に示す本発明の実施例１４において前記実施例１３と主に異なる点は、携帯ストラップを、紐部材２を短い形態にしてその一方側にストッパー５５を設けて、他方には何も取り付けずその他方先端を熱で溶かして形成した微小ストッパー６３を設けてなる携帯ストラップ６４を形成した点にある。
裏側に垂れ下がる紐部材２部位が短くかつ物品が無い形態である、裏側に出る部位が目立たないが表側のストッパー５５のみが目立ちアクセントになるという効果を奏する。
微小ストッパーは、結び目、小さな圧着スリーブ、小さな玉でもよく、無くてもよい。
【実施例１５】
【００２９】
図１８に示す本発明の実施例１５において前記実施例１４と主に異なる点は、携帯ストラップを、紐部材２の他方側に環部材６６を設けてなる携帯ストラップ６７を形成した点にある。
ここでは、携帯品のケース１７を使用している。
好みで、環部材６６に飾り（物品）などを付ける等のことができる。
【実施例１６】
【００３０】
図１９に示す本発明の実施例１６において前記実施例１と主に異なる点は、ストッパーをイヤホンプラグ通し孔１２を通り抜ける形態のストッパー７０とした携帯ストラップ７１を形成した点にある。
【実施例１７】
【００３１】
図２０に示す本発明の実施例１７において前記実施例１６と主に異なる点は、物品を物品４６とした携帯ストラップ７２を形成した点にある。
イヤホンジャックから物品４を外しても携帯品のケース７に取り付けられた紐部材２に繋がれた物品４はそのままぶら下がり状態に保持され、落としたり、紛失したりすることがない。
【実施例１８】
【００３２】
図２１に示す本発明の実施例１８において前記実施例１と主に異なる点は、本発明の携帯品のケースへの携帯ストラップの取り付け方法に使用される、携帯ストラップの他の形態を示したものである。
（ａ）図の携帯ストラップは、紐部材２７の先端を折り曲げてその部分にシート状のゴム製部材、摩擦の大きい合成樹脂製部材などの摩擦プレートないしシート部材からなる挟持ストッパー部７３を設けたものである。挟持ストッパー部７３を携帯品のケース７と携帯品５の間に挟みつけて、その摩擦によって動かない形態にして使用するものである。
（ｂ）図の携帯ストラップは、紐部材２のストレート形態の先端部側にゴム製部材、摩擦の大きい合成樹脂製部材を塗布（含浸を含む）してなる挟持ストッパー部７４としたものである。挟持ストッパー部７４を携帯品のケース７と携帯品５の間に挟み付けて動かない形態にして使用するものである。
（ｃ）図の携帯ストラップは、紐部材２７の先端部側にゴム製部材、摩擦の大きい合成樹脂製部材を塗布（含浸を含む）してなる挟持ストッパー部７５としたものである。挟持ストッパー部７５を携帯品のケース７と携帯品５の間に挟み付けて動かない形態にして使用するものである。
【実施例１９】
【００３３】
図２２、図２３に示す本発明の実施例１９において前記実施例１と主に異なる点は、ストッパーを開閉式（カニ環、引き環など）の環部材７６とし、紐部材２に移動自在に管部材（リング部材でもよい）からなるストッパー７７を設けてなる携帯ストラップ７８を形成した点にある。
例えば、ストッパー７７を紐部材２の略中央に位置させて、ストッパー７７とソン両側の紐部材２を下方から部材通し部３１に通しディスプレイ用開口部１０の外に出しておいて、携帯品５を携帯品のケース７に嵌め込み、下方側の紐部材２を引っ張って、ストッパー７７を携帯品５と携帯品のケース７に当接させて、物品４と環部材７６がぶら下がり状態を形成し、環部材７６に好みの物品（ここでは物品４）を取付けることを可能としている。環部材は閉じ環でもよい。
【００３４】
ストッパー７７を備えた紐部材２の両側に環部材を設けた携帯ストラップもよい。この場合は、両方の環部材にそれぞれ好みの物品を取り付けることが可能となる。
【産業上の利用可能性】
【００３５】
本発明は携帯ストラップ、携帯品のケースを生産・販売する産業で利用される。
【符号の説明】
【００３６】
１：携帯ストラップ、
２：紐部材、
３：ストッパー、
４：物品、
５：携帯品、
６：ディスプレイ、
７：携帯品のケース、
８：収納部、
９：ケース本体、
１０：ディスプレイ用開口部、
１１：部材通し部、
１２：イヤホンプラグ通し孔、
１３：背面部、
１４：側面部、
１５：部材通し部、
１６：紐入り溝、
１７：携帯品のケース、
１８：部材通し部、
１９：ストラップ紐部材、
２０：携帯ストラップ、
２１：背面開口部、
２２：携帯品のケース、
２３：カメラレンズ、
２４：紐部材通り孔、
２５：携帯品のケース、
２７：ストラップ紐部材、
２８：ストッパー、
２９：携帯ストラップ、
３１：部材通し部、
３２：紐部材通し部、
３３：携帯品のケース、
３５：部材通し部３、
３６：携帯品のケース、
３８：携帯品のケース用取り付け部材、
３９：紐体、
４０：取り付け部材のストッパー、
４１：紐通し孔、
４２：潜らせループ、
４３：肉厚部位、
４５：棒部、
４６：物品、
４７：ストッパー、
４８：携帯ストラップ、
５０：携帯ストラップ、
５２：携帯品のケース、
５５：ストッパー、
５６：ストッパー、
５７：携帯ストラップ、
５８：たるみ部位、
５９：物品、
６１：携帯ストラップ、
６３：微小ストッパー、
６４：携帯ストラップ、
６６：環部材、
６７：携帯ストラップ、
７０：ストッパー、
７１：携帯ストラップ、
７２：携帯ストラップ、
７３：挟持ストッパー部、
７４：挟持ストッパー部、
７５：挟持ストッパー部、
７６：環部材、
７７：ストッパー、
７８：携帯ストラップ。
【図１】
2014112814.tif 000003
【図２】
2014112814.tif 000004
【図３】
2014112814.tif 000005
【図４】
2014112814.tif 000006
【図５】
2014112814.tif 000007
【図６】
2014112814.tif 000008
【図７】
2014112814.tif 000009
【図８】
2014112814.tif 000010
【図９】
2014112814.tif 000011
【図１０】
2014112814.tif 000012
【図１１】
2014112814.tif 000013
【図１２】
2014112814.tif 000014
【図１３】
2014112814.tif 000015
【図１４】
2014112814.tif 000016
【図１５】
2014112814.tif 000017
【図１６】
2014112814.tif 000018
【図１７】
2014112814.tif 000019
【図１８】
2014112814.tif 000020
【図１９】
2014112814.tif 000021
【図２０】
2014112814.tif 000022
【図２１】
2014112814.tif 000023
【図２２】
2014112814.tif 000024
【図２３】
2014112814.tif 000025